(57)【特許請求の範囲】
【請求項１】
製造コストを算出する製造コスト算出システムであって、
各工程毎に、複数の工程候補と各工程候補のコストの情報が互いに関連付けられて格納された工程／費用データベースと、
接続可能な工程同士の接続組み合わせが格納された工程／接続データベースと、
各工程及び各接続が固有に持っているリスク度が格納された工程／安全データベースと、
現状の各工程に関する情報を受け付ける現状工程入力手段と、
現状工程入力手段によって入力された工程に対して、現状工程のコストを算出すると共に、前記工程／費用データベースを参照して、現状工程よりもコストの低減できる複数の工程候補を抽出する工程候補抽出手段と、
前記工程候補抽出手段で抽出された複数の工程候補に対して、前記工程／接続データベースを参照して、次の工程に対して抽出された複数の工程候補との間で接続可能で現状よりもコストが低減された複数の組み合わせ候補を抽出する接続候補抽出手段と、
前記複数の組み合わせ候補のそれぞれに対して、前記工程／安全データベースを参照して、各工程および接続の固有のリスク度を抽出し、抽出したすべての工程及び接続のリスク度を加算してリスク度合計を求めて、このリスク度合計に基づいて、組み合わせ候補の中から最もリスク度合計の少ない組み合わせ候補を推薦工程として抽出する推薦工程抽出手段と、
を備える製造コスト算出システム。
【発明の詳細な説明】
【０００１】
【発明の属する技術分野】
本発明は、製造コストを算出すると共にコスト及び安全性を考慮した推薦工程を求めることができる製造コスト算出システムに関する。
【０００２】
【従来の技術】
従来、製造業ではコストの低減は重要課題であり、従来から、最適な製法を見積もる方法が出願されてもいる（例えば、特開２００１−１０１２８４公報）。
【０００３】
【発明が解決しようとする課題】
しかし、コストを重視するあまり、安全性がおろそかになり、製品として出荷できないものを製造してしまっては本末転倒であり、特に食品や医薬の分野においては致命的ですらある。この「安全」という視点に重きを置いたコスト算出システムはいまだ存在しないのが現状であった。
【０００４】
本発明はかかる課題に鑑みなされたもので、製造コストを算出すると共にコスト及び安全性を考慮した推薦工程を求めることができる製造コスト算出システムを提供することをその目的とする。
【０００５】
【課題を解決するための手段】
上記目的を達成するために、本発明は、製造コストを算出する製造コスト算出システムであって、
各工程毎に、複数の工程候補と各工程候補のコストの情報が互いに関連付けられて格納された工程／費用データベースと、
接続可能な工程同士の接続組み合わせが格納された工程／接続データベースと、
各工程及び各接続が固有に持っているリスク度が格納された工程／安全データベースと、
現状の各工程に関する情報を受け付ける現状工程入力手段と、
現状工程入力手段によって入力された工程に対して、現状工程のコストを算出すると共に、前記工程／費用データベースを参照して、現状工程よりもコストの低減できる複数の工程候補を抽出する工程候補抽出手段と、
前記工程候補抽出手段で抽出された複数の工程候補に対して、前記工程／接続データベースを参照して、次の工程に対して抽出された複数の工程候補との間で接続可能で現状よりもコストが低減された複数の組み合わせ候補を抽出する接続候補抽出手段と、
前記複数の組み合わせ候補のそれぞれに対して、前記工程／安全データベースを参照して、各工程および接続の固有のリスク度を抽出し、抽出したすべての工程及び接続のリスク度を加算してリスク度合計を求めて、このリスク度合計に基づいて、組み合わせ候補の中から最もリスク度合計の少ない組み合わせ候補を推薦工程として抽出する推薦工程抽出手段と、を備える。
【０００６】
現状工程入力手段に現状の工程に関する情報が入力されると、工程候補抽出手段が現状工程のコストを算出するとともに、工程／費用データベースを参照して、現状工程よりもコストの低減できる複数の工程候補を抽出する。さらに、接続候補抽出手段が工程／接続データベースを参照して、接続可能な組み合わせ候補を抽出する。さらに、推薦工程抽出手段が工程／安全データベースを参照して、組み合わせ候補の中からリスク度合計を求め、そのリスク度合計から、推薦工程を抽出する。こうして、現状の工程についてのコストを算出することができると共に、コスト及び安全性を考慮した推薦工程を抽出することができる。
【０００７】
【発明の実施の形態】
以下、図面を用いて本発明の実施の形態を説明する。尚、本発明は明細書内で説明する実施形態に限定されることなく、特許請求の範囲内で種々の変形が可能である。
【０００８】
図１は、本発明の製造コスト算出システムの実施形態の機能を表す機能ブロック図である。図において、製造コスト算出システム１０は、現状の製造工程と、その工程のコストを受け付ける現状工程入力部１２と、現状工程入力部１２によって入力された工程に対して、よりコストの低減できる複数の工程候補を抽出する工程候補抽出部１４と、前記工程候補抽出部１４で抽出された複数の工程候補に対して、次の工程に対して抽出された複数の工程候補との間で接続可能な複数の組み合わせ候補を抽出する接続候補抽出部１６と、前記複数の組み合わせ候補に対して、各工程および接続のリスク度を加算して、そのリスク度を求めて推薦工程を抽出する推薦工程抽出部１８と、推薦工程抽出部１８で抽出された推薦工程を提示する推薦工程提示部２０と、を備えている。また、各工程毎に現状の製造能力で実現可能である複数の工程候補と、各工程候補についての内容、手段、並びに人件費、材料費、物流費等を含めた算出コストが関連付けられて格納された工程／費用データベース２２と、接続可能な工程同士の接続組み合わせが格納された工程／接続データベース２４と、各工程及び各接続が固有に持っているリスク度が格納された工程／安全データベース２６と、を備えている。
【０００９】
次に、この製造コスト算出システムによるコスト算出の手順を以下に説明する。
【００１０】
▲１▼現状の製造工程の入力
まず、現状の製造工程の入力を現状工程入力部１２に対して行う。各工程毎に、次の表に示すような内容、手段、コスト即ちかかった人数×時間（人件費）、その他の材料費、物流費などの諸経費を入力する。下表は、食品（小麦粉）製造を例にとった場合の工程例である。
【００１１】
【表１】
0004800510.tif 000002
【００１２】
▲２▼コスト低減化策の検索
工程候補抽出部１４は、現状工程入力部１２に入力された現状の工程のコストの合計を算出して、全面的なコストを割り出すと共に、工程／費用データベース２２に照会し、現状の製造能力で実現可能で、なおかつコストが低減できる工程候補を工程毎に抽出する。
【００１３】
次に、接続候補抽出部１６は、工程候補抽出部１４で抽出された工程候補に対して工程／接続データベース２４に照会し、可能な工程の組み合わせを構築する。例えば、Ａ工程とＢ工程、Ｂ’工程があった場合に、Ａ→Ｂという工程の組み合わせよりも、Ａ→Ｂ’という工程の組み合わせ方が低コストだとしても、Ａの接続データベースにＢしかなかったら、Ａ→Ｂという組み合わせが選択される。
【００１４】
こうして、実現可能、接続可能でなおかつ現状よりもコストが低減された工程の組み合わせ候補が複数個用意される。
【００１５】
▲３▼：安全を重視したベスト工程の提示
次に、推薦工程抽出部１８は、工程／安全データベース２６に照会し、接続候補抽出部１６で用意された複数個の工程の組み合わせ候補と、現状工程とに対して、それぞれ各工程、各接続が固有に持っている「リスク度」を抽出して、すべての工程及び接続の合計（「リスク度合計」）を求める。そして、複数個の工程の組み合わせ候補の中で、もっとも「リスク度合計」の少ない組み合わせ候補工程を、ベスト工程として抽出する。
【００１６】
推薦工程提示部２０は、現状工程のコストとリスク度合計と共に、推薦工程抽出部１８で推薦された推薦工程のコストとリスク度合計を提示する。こうして、現状よりもコストが低減され、かつ安全性の高い工程が推薦工程として提示される。この推薦工程は、コストだけでなく安全性も考慮されたものであるために、高い信頼性を持ってその推薦工程を評価することができる。
【００１７】
但し、推薦工程提示部２０の提示としては、ベスト工程の提示に限るものではなく、接続候補抽出部１６で用意された複数個の工程の組み合わせ候補のすべてをそのコストとリスク度合計と共に、現状のコストとリスク度合計と合わせて表示することもできる。
【００１８】
【発明の効果】
以上説明したように、本発明によるシステムを利用することにより、現状の工程のコストを求めることができると共に、コスト及び安全性を考慮した推薦工程を利用者に提示することができる。
【図面の簡単な説明】
【図１】本発明の製造コスト算出システムの実施形態を表す全体ブロック図である。
【符号の説明】
１０  製造コスト算出システム
１２  現状工程入力部
１４  工程候補抽出部
１６  接続候補抽出部
１８  推薦工程抽出部
２２  工程／費用データベース
２４  工程／接続データベース
２６  工程／安全データベース
【図１】
0004800510.tif 000003